(57)【要約】【課題】低コストで、エンドユーザや配達員が荷物の環境管理情報にアクセスできる物品輸送環境保障システムを得る。【解決手段】配達する荷物に添付する温度センサ内蔵ＲＦＩＤタグと、配達員の携帯端末装置と基準温度計とモバイルプリンタと環境情報ラベルを用い、前記温度センサ内蔵ＲＦＩＤタグを、温度を測定する温度センサと温度管理手段で構成し、配達員が前記荷物に前記温度センサ内蔵ＲＦＩＤタグを設置して配達し、前記温度管理手段が、前記温度センサで温度を測定し、該測定温度を温度保障範囲と比較する温度管理処理を行い、前記温度管理処理の結果を前記配達員の携帯端末装置に送信し、前記モバイルプリンタが前記環境情報ラベルに前記温度管理処理の結果を印刷し前記荷物に設置して表示する。【選択図】図１
2019214446.tif 000002
【特許請求の範囲】
【請求項１】
配達する荷物に添付する温度センサ内蔵ＲＦＩＤタグと、ＲＦタグリーダと配達員の携帯端末装置と基準温度計とモバイルプリンタと環境情報ラベルとで構成する物品輸送環境保障システムであって、
前記温度センサ内蔵ＲＦＩＤタグが、温度を測定する温度センサと温度管理手段を備え、配達員が前記荷物に前記温度センサ内蔵ＲＦＩＤタグを設置して配達し、
前記温度管理手段が、前記温度センサで温度を測定し、該測定温度を温度保障範囲と比較する温度管理処理を行い、前記温度管理処理の結果を、前記ＲＦタグリーダを介して前記配達員の携帯端末装置に送信し、
前記配達員の携帯端末装置が、前記モバイルプリンタによって前記環境情報ラベルに前記温度管理処理の結果を印刷し該環境情報ラベルを前記荷物に設置して表示する
ことを特徴とする物品輸送環境保障システム。
【請求項２】
請求項１記載の物品輸送環境保障システムであって、前記温度センサ内蔵ＲＦＩＤタグが、前記温度センサと前記温度管理手段を備えた温度センサ付ＩＣパッケージ基板と、前記ＲＦタグリーダを介して、前記配達員の携帯端末装置にデータを送信するアンテナと、前記温度センサ付ＩＣパッケージ基板と前記アンテナを接続するリード線を有し、
配達員が前記荷物に前記温度センサ付ＩＣパッケージ基板を設置して配達する
ことを特徴とする物品輸送環境保障システム。
【請求項３】
請求項２に記載の物品輸送環境保障システムであって、配達品保管庫を用い、前記荷物と前記温度センサ付ＩＣパッケージ基板を前記配達品保管庫に収納し、前記アンテナを前記配達品保管庫の外に設置して前記ＲＦタグリーダと通信させることを特徴とする物品輸送環境保障システム。
【請求項４】
請求項１から３の何れか一項に記載の物品輸送環境保障システムであって、前記温度センサ内蔵ＲＦＩＤタグが、前記配達員の携帯端末装置から前記ＲＦタグリーダを介して温度管理開始指示信号を受信すると、前記温度管理手段が、前記温度センサで温度を測定し、該測定温度を温度保障範囲と比較する温度管理処理を開始する
ことを特徴とする物品輸送環境保障システム。
【請求項５】
請求項１から４の何れか一項に記載の物品輸送環境保障システムであって、前記携帯端末装置に、前記基準温度計の測定した環境温度を受信させ、前記携帯端末装置が前記温度センサ内蔵ＲＦＩＤタグから受信した測定温度と比較させることで、前記温度センサ内蔵ＲＦＩＤタグの測定温度の正しさを確認させることを特徴とする物品輸送環境保障システム。
【発明の詳細な説明】
【技術分野】
【０００１】
本発明は、非接触で情報を交信する温度センサ内蔵ＲＦＩＤタグおよびこの温度センサ内蔵ＲＦＩＤタグを用いた荷物の物品輸送環境保障システムに関し、特に、荷物を輸送する配達員や配送センタの関係者等の間で荷物の経由した環境情報を連携させる物品輸送環境保障システムに関する。
【背景技術】
【０００２】
従来、荷物の輸送または保管中における環境保障システムとして、特許文献１の様に、荷物に温度センサ内蔵ＲＦＩＤタグを装着して、輸送または保管中の荷物の環境の変化をＩＣに記憶させ輸送または保管を終えた後記憶内容を読出して輸送中または保管中の環境が予め設定された許容範囲内であったことを確認する方法が提案されている。
【０００３】
特許文献１の技術では、荷物の受け入れゲートおよび引渡しゲート、又はリーダ／ライタが温度センサ内蔵ＲＦＩＤタグと通信して温度センサ内蔵ＲＦＩＤタグの測定温度情報をゲート又はリーダ／ライタを管理する配送センタのコンピュータシステムが受信していた。
【先行技術文献】
【特許文献】
【０００４】
【特許文献１】特開２００６−０５９１８２号公報
【特許文献２】特開２０１６−１６２２３０号公報
【発明の概要】
【発明が解決しようとする課題】
【０００５】
しかし、配送センタのコンピュータに蓄積した温度センサ内蔵ＲＦＩＤタグの情報を別輸送業者へ伝達するデータ連携が困難な問題があり、また、エンドユーザが荷物の環境管理情報にアクセスすることが困難な問題があった。
【０００６】
エンドユーザや配達員や配送センタ関係者が荷物の環境管理情報にアクセスできるようにするために、特許文献２などで、液晶や電子ペーパなどの表示部を持たせた温度センサ内蔵ＲＦＩＤタグを用いる技術が提案されている。
【０００７】
しかし、温度センサ内蔵ＲＦＩＤタグに表示部を持たせた場合、温度センサ内蔵ＲＦＩＤタグに高いコストがかかる問題があった。
【０００８】
そこで、本発明の課題は、温度センサ内蔵ＲＦＩＤタグを用いた物品輸送環境保障システムにおいて、高いコストをかけずに、エンドユーザや配達員が荷物の環境管理情報にアクセスできるようにした物品輸送環境保障システムを得ることにある。
【課題を解決するための手段】
【０００９】
上記の課題を解決するために、本発明は、配達する荷物に添付する温度センサ内蔵ＲＦＩＤタグと、ＲＦタグリーダと配達員の携帯端末装置と基準温度計とモバイルプリンタと環境情報ラベルとで構成する物品輸送環境保障システムであって、
前記温度センサ内蔵ＲＦＩＤタグが、温度を測定する温度センサと温度管理手段を備え、配達員が前記荷物に前記温度センサ内蔵ＲＦＩＤタグを設置して配達し、
前記温度管理手段が、前記温度センサで温度を測定し、該測定温度を温度保障範囲と比較する温度管理処理を行い、前記温度管理処理の結果を、前記ＲＦタグリーダを介して前記
配達員の携帯端末装置に送信し、
前記配達員の携帯端末装置が、前記モバイルプリンタによって前記環境情報ラベルに前記温度管理処理の結果を印刷し該環境情報ラベルを前記荷物に設置して表示する
ことを特徴とする物品輸送環境保障システムである。
【００１０】
本発明は、この構成により、温度センサ内蔵ＲＦＩＤタグが荷物の温度を測定し、温度管理処理を行い、その結果を環境情報ラベルに印刷する事で、高いコストをかけずに、荷物の輸送中または保管中の環境条件を確実に明示して保障することができる環境保障システムが得られる効果がある。
【００１１】
また、本発明は、上記の物品輸送環境保障システムであって、前記温度センサ内蔵ＲＦＩＤタグが、前記温度センサと前記温度管理手段を備えた温度センサ付ＩＣパッケージ基板と、前記ＲＦタグリーダを介して、前記配達員の携帯端末装置にデータを送信するアンテナと、前記温度センサ付ＩＣパッケージ基板と前記アンテナを接続するリード線を有し、
配達員が前記荷物に前記温度センサ付ＩＣパッケージ基板を設置して配達する
ことを特徴とする物品輸送環境保障システムである。
【００１２】
また、本発明は、上記の物品輸送環境保障システムであって、配達品保管庫を用い、前記荷物と前記温度センサ付ＩＣパッケージ基板を前記配達品保管庫に収納し、前記アンテナを前記配達品保管庫の外に設置して前記ＲＦタグリーダと通信させることを特徴とする物品輸送環境保障システムである。
【００１３】
また、本発明は、上記の物品輸送環境保障システムであって、前記温度センサ内蔵ＲＦＩＤタグが、前記配達員の携帯端末装置から前記ＲＦタグリーダを介して温度管理開始指示信号を受信すると、前記温度管理手段が、前記温度センサで温度を測定し、該測定温度を温度保障範囲と比較する温度管理処理を開始する
ことを特徴とする物品輸送環境保障システムである。
【００１４】
また、本発明は、上記の物品輸送環境保障システムであって、前記携帯端末装置に、前記基準温度計の測定した環境温度を受信させ、前記携帯端末装置が前記温度センサ内蔵ＲＦＩＤタグから受信した測定温度と比較させることで、前記温度センサ内蔵ＲＦＩＤタグの測定温度の正しさを確認させることを特徴とする物品輸送環境保障システムである。
【発明の効果】
【００１５】
本発明の環境保障システムによれば、温度センサ内蔵ＲＦＩＤタグが荷物の温度を測定し、温度管理処理を行い、その結果を環境情報ラベルに印刷する事で、高いコストをかけずに、荷物の輸送中または保管中の環境条件を確実に明示する。
【００１６】
温度管理処理の結果を印刷した環境情報ラベルを荷物に添付することで、流通過程での環境管理を確認したことのエビデンスにできる、輸送中または保管中の環境条件を確実に保障することができる環境保障システムが得られる効果がある。
【００１７】
また、本発明の環境保障システムは、持ち運び可能なモバイルプリンタで環境情報ラベルに印刷する事で、環境情報ラベルに印刷する情報は容易に変更できるので、あらかじめ決まった情報だけでなく、現場に出向いて微調整した結果を反映した情報とすることができる効果がある。
【００１８】
また、管理情報表示フォーマットの変更はプリンタ側の変更で可能であり、環境管理用の装置側のアップデートは必要ないので容易にできる。例えば、配達などの現場を移動す
る人が管理情報を更新することができる融通性に富んだ環境保障システムが得られる効果がある。
【００１９】
また、配達品保管庫とする箱の外に環境情報ラベルを貼って、箱の中に温度センサ付ＩＣパッケージ基板を入れる、といったように、環境情報ラベルを温度センサ付ＩＣパッケージ基板とは分けて取り付けることができる効果がある。
【００２０】
また、携帯端末装置に、基準温度計の測定した環境温度を受信させ、温度センサ内蔵ＲＦＩＤタグから受信した測定温度と比較させることで、温度センサ内蔵ＲＦＩＤタグの測定温度の正しさを確認させることで、配送途中で温度センサ内蔵ＲＦＩＤタグの温度センサが故障した場合、途中でその異変に気付くことができる効果がある。
【図面の簡単な説明】
【００２１】
【図１】本発明の第１の実施形態の物品輸送環境保障システムの構成を示す図である。
【図２】本発明の第１の実施形態の温度センサ内蔵ＲＦＩＤタグのブロック構成を示す図である。
【図３】本発明の第１の実施形態で印刷する環境情報ラベルの印刷パターンの一例を示す図（その１）である。
【図４】本発明の第１の実施形態で印刷する環境情報ラベルの印刷パターンの一例を示す図（その２）である。
【図５】本発明の第１の実施形態の物品輸送環境保障システムの処理手順を示すフローチャート（その１）である。
【図６】本発明の第１の実施形態の物品輸送環境保障システムの処理手順を示すフローチャート（その２）である。
【図７】本発明の第１の実施形態の物品輸送環境保障システムの処理手順を示すフローチャート（その３）である。
【図８】本発明の第２の実施形態の物品輸送環境保障システムの処理手順を示すフローチャートである。
【発明を実施するための形態】
【００２２】
＜第１の実施形態＞
以下、本発明の第１の実施形態について図面を参照して説明する。本発明の物品輸送環境保障システムは、図１の様に、配達する荷物１０に添付する温度センサ内蔵ＲＦＩＤタグ２０と、その温度センサ内蔵ＲＦＩＤタグ２０のデータを読み出すＲＦタグリーダ１００と、配達員の携帯端末装置２００と、配達品保管庫３００と、基準温度計３１０と、モバイルプリンタ４００と、モバイルプリンタ４００が印刷して荷物１０に貼り付ける環境情報ラベル４０とで構成する。
【００２３】
荷物１０を配達品保管庫３００内に収納し、温度センサ内蔵ＲＦＩＤタグ２０の温度センサ付ＩＣパッケージ基板２１を荷物１０に添付し、アンテナ基板３０は配達品保管庫３００の外等の、ＲＦタグリーダ１００と通信可能な位置に設置する。
【００２４】
（変形例１）
変形例１として、配達車両に備えた、複数の荷物１０を収納する荷物収納冷蔵庫等を用いることができる。その場合は、荷物収納冷蔵庫の中にＲＦタグリーダ１００を設置し、そのＲＦタグリーダ１００を、各荷物１０毎の配達品保管庫３００の外のアンテナ基板３０のアンテナ１と通信させることができる。荷物収納冷蔵庫を用いる場合は、各荷物１０毎の配達品保管庫３００を簡易な梱包手段で済ますことができる。
【００２５】
（基準温度計３１０）
基準温度計３１０を配達員が保持し、配達員が、必要に応じて荷物１０を収納した配達品保管庫３００内に基準温度計３１０を設置して配達品保管庫３００内の環境温度を測定する。基準温度計３１０は、配達員の携帯端末装置２００と通信し、配達員の携帯端末装置２００に環境温度のデータを送信する。
【００２６】
基準温度計３１０は、基準温度計３１０の通信手段が、配達員の携帯端末装置２００と直接に通信する様に構成することもでき、また、基準温度計３１０の通信手段がＲＦタグリーダ１００を介して配達員の携帯端末装置２００と通信するように構成することもできる。
【００２７】
そして、携帯端末装置２００に、その環境温度を、携帯端末装置２００が温度センサ内蔵ＲＦＩＤタグ２０から受信した測定温度Ｄ５と比較させることで、温度センサ内蔵ＲＦＩＤタグ２０の測定温度Ｄ５が正しい事を確認させることができる。
【００２８】
それにより、配送途中で温度センサ内蔵ＲＦＩＤタグの温度センサが故障した場合、途中でその異変に気付くことができる効果がある。
【００２９】
また、配達車両に備えた、複数の荷物１０を収納する荷物収納冷蔵庫等を用いることができる。その場合は、各荷物１０毎の配達品保管庫３００を簡易な梱包手段で済まし、その荷物１０を荷物収納冷蔵庫に収納する。そして、その荷物収納冷蔵庫内に基準温度計３１０を設置して荷物収納冷蔵庫内の温度を測定させ、配達員の携帯端末装置２００に環境温度のデータを送信させる。
【００３０】
そして、配達員の携帯端末装置２００に、その環境温度を、荷物１０に添付した温度センサ内蔵ＲＦＩＤタグ２０から受信した測定温度Ｄ５と比較させることで、温度センサ内蔵ＲＦＩＤタグ２０の測定温度Ｄ５が正しい事を確認させることができる。
【００３１】
それにより、配送途中で温度センサ内蔵ＲＦＩＤタグの温度センサが故障した場合、途中でその異変に気付くことができる効果がある。
【００３２】
（温度センサ内蔵ＲＦＩＤタグ２０）
図２を参照して温度センサ内蔵ＲＦＩＤタグ２０を説明する。本発明の温度センサ内蔵ＲＦＩＤタグ２０は、温度センサ付ＩＣパッケージを回路基板に実装した温度センサ付ＩＣパッケージ基板２１と、外部装置との通信を行うためのアンテナ１を設置したアンテナ基板３０を備えている。
【００３３】
その温度センサ付ＩＣパッケージ基板２１とアンテナ基板３０とは、リード線２７によって電気的に接続された別体として形成する。そして、温度センサ付ＩＣパッケージ基板２１を、配達品保管庫３００内の荷物１０に添付し、ＲＦタグリーダ１００と通信するアンテナ１を保持するアンテナ基板３０は、配達品保管庫３００の外等の、ＲＦタグリーダ１００と通信可能な位置に設置し、温度センサ付ＩＣパッケージ基板２１とアンテナ基板３０のアンテナ１をリード線２７で接続する。
【００３４】
例えば荷物１０が金属製容器の配達品保管庫３００の中に配置されていても、荷物１０に添付した温度センサ付ＩＣパッケージ基板２１にリード線２７で接続するアンテナ基板３０を配達品保管庫３００の外等のＲＦタグリーダ１００と通信可能な位置に設置することで通信を可能にする。
【００３５】
ここで、アンテナ基板３０は、配達品保管庫３００に固定して設置し、そのアンテナ基板３０に接続したリード線２７を、配達品保管庫３００内の温度センサ付ＩＣパッケージ
基板２１に接続するように、リード線２７と温度センサ付ＩＣパッケージ基板２１を分離可能に構成することができる。
【００３６】
温度センサ付ＩＣパッケージ基板２１の回路基板の基材には、フレキシブルな材料を用いることで、温度Ｄ５を測定する荷物１０の面が凹凸を有して平面でなくても、荷物１０の表面形状への追従性を良くし良好な密着性が得られる基材を用いることが望ましい。
【００３７】
温度センサ付ＩＣパッケージ基板２１に設置する電子回路は、メモリ２２と温度センサ２３と制御部２４と通信部２５と電源回路２６を有する。
【００３８】
温度センサ内蔵ＲＦＩＤタグ２０は、ＲＦタグリーダ１００からアンテナ１に給電された電力を、リード線２７を介して、温度センサ付ＩＣパッケージ基板２１の電源回路２６に給電して動作する。温度センサ内蔵ＲＦＩＤタグ２０の電源回路２６は、電力を蓄積するための電池を備え、その電池の電力により動作して定期的に温度Ｄ５を測定する温度管理処理を行う。
【００３９】
温度センサ内蔵ＲＦＩＤタグ２０は、ＲＦタグリーダ１００からアンテナ１を介してＩＣタグ情報要求信号を受信すると、温度センサ２３を用いて荷物１０の温度Ｄ５を測定し、その温度データと、メモリ２２が記憶しているＩＣタグ識別コードＤ１を、配達品保管庫３００の外に設置したアンテナ１による無線通信によって、ＲＦタグリーダ１００に送信する。
【００４０】
また、温度センサ内蔵ＲＦＩＤタグ２０は、ＲＦタグリーダ１００からアンテナ１を介して温度管理開始指示信号を受信すると、定期的に温度センサ２３で温度Ｄ５を測定した上で、測定結果の温度の情報と測定時刻をメモリ２２に記憶し、また、測定温度Ｄ５の情報を、配送指定温度Ｄ６よりも厳しい温度保障範囲と比較する温度管理処理を開始する。
【００４１】
（ＲＦタグリーダ１００）
ＲＦタグリーダ１００は、配達品保管庫３００の外等に、配達員の携帯端末装置２００と通信が可能な位置に設置する。配達員がＲＦタグリーダ１００を、携帯端末装置２００と一緒に保持しても良い。また、携帯端末装置２００に、ＲＦタグリーダ１００の機能を備えさせても良い。
【００４２】
ＲＦタグリーダ１００は、配達員の携帯端末装置２００からの指令に従って、荷物１０に添付した温度センサ内蔵ＲＦＩＤタグ２０と、そのアンテナ１を介して無線通信することで、温度センサ内蔵ＲＦＩＤタグ２０のデータを読み取り、そのデータを配達員の携帯端末装置２００に送信する。
【００４３】
（配達員の携帯端末装置２００）
配達員の携帯端末装置２００は、ＲＦタグリーダ１００から、温度センサ内蔵ＲＦＩＤタグ２０の、ＩＣタグ識別コードＤ１と、温度情報データを受信する。
【００４４】
そして、携帯端末装置２００は、ＲＦタグリーダ１００から受信した、温度センサ内蔵ＲＦＩＤタグ２０のＩＣタグ識別コードＤ１と温度Ｄ５と、その温度Ｄ５の測定時刻Ｄ４ｂや温度Ｄ５を測定した輸送経由地点の情報等から成る環境情報を加えたデータをモバイルプリンタ４００に送信し、モバイルプリンタ４００に、それらの情報を環境情報ラベル４０に印刷させる。
【００４５】
配達員は、モバイルプリンタ４００が印刷した環境情報ラベル４０を荷物１０又は配達品保管庫３００に貼り付ける。
【００４６】
また、配達員が、基準温度計３１０を配達品保管庫３００内に設置して温度Ｄ５を測定し、携帯端末装置２００で環境温度を受信することができる。そして、携帯端末装置２００に、その環境温度を、温度センサ内蔵ＲＦＩＤタグ２０から受信した測定温度Ｄ５と比較させることで、温度センサ内蔵ＲＦＩＤタグ２０から受信した測定温度Ｄ５が正しい事を確認することができる。
【００４７】
（環境情報ラベル４０）
図３と図４に、荷物１０の配達過程で、配達員の携帯端末装置２００がモバイルプリンタ４００を用いて環境情報ラベル４０へ印刷する情報の一例を示す。環境情報ラベル４０へ印刷する情報は、温度センサ内蔵ＲＦＩＤタグ２０のＩＣタグ識別コードＤ１と、温度センサ内蔵ＲＦＩＤタグ２０が測定した荷物１０の温度Ｄ５と、温度Ｄ５を測定した時刻情報Ｄ４ｂやラベル印字時刻Ｄ４と、配送指定温度Ｄ６と管理状態Ｄ７の情報を印字する。また、ＩＣタグ識別コードＤ１や管理状態Ｄ７の情報を、二次元コードＤ１ｂやバーコードにして環境情報ラベル４０へ印刷することができる。
【００４８】
ここで、配送指定温度Ｄ６よりも温度保障範囲を厳しくして管理して、配送指定温度Ｄ６は確実に守れるように管理する。また、環境情報ラベル４０へ印刷する情報は、その他に、荷物番号Ｄ２や配達担当者名Ｄ３や、必要に応じて、測定場所の情報等や基準温度計３１０が測定した環境温度情報を加えた環境情報を環境情報ラベル４０へ印刷することもできる。
【００４９】
また、管理情報を変更するなどの情報変更があった場合は、最新情報が印字された環境情報ラベル４０を印刷して、荷物１０に貼付済のラベルの上から重ねて貼付することができる。
【００５０】
この環境情報ラベル４０に、温度Ｄ５と温度Ｄ５を測定した時刻情報Ｄ４ｂと管理状態Ｄ７等の温度管理処理の結果の情報を印刷して荷物１０に添付することで、流通過程での環境管理を確認したことのエビデンスにできる、輸送中または保管中の環境条件を確実に保障することができる環境保障システムが得られる効果がある。
【００５１】
（処理の概要）
本実施形態の物品輸送環境保障システムは、荷物１０の輸送過程において、温度センサ内蔵ＲＦＩＤタグ２０が、定期的に温度センサ２３で温度Ｄ５を測定し、その測定温度Ｄ５を温度保障範囲と比較し、比較結果の管理情報と、測定温度Ｄ５と測定時刻情報をメモリ２２に記憶する。
【００５２】
そして、温度センサ内蔵ＲＦＩＤタグ２０は、測定した温度が温度保障範囲から外れた場合は、ＲＦタグリーダ１００を介して配達員の携帯端末装置２００に警告信号を送信する。その警告信号を受信した携帯端末装置２００は、警告音を発して配達員に通知する。
【００５３】
また、配達員の携帯端末装置２００からＲＦタグリーダ１００を介してＩＣタグ情報要求信号を受信した温度センサ内蔵ＲＦＩＤタグ２０は、メモリ２２に記憶していた、定期的に測定した温度情報と測定時刻情報を、ＲＦタグリーダ１００を介して携帯端末装置２００に送信する。
【００５４】
そして、携帯端末装置２００は、温度センサ内蔵ＲＦＩＤタグ２０の温度センサ２３が定期的に測定した複数の温度情報と測定時刻情報を環境情報ラベル４０に印刷する。
【００５５】
（配達処理）
次に、図５から図７のフローチャートを参照して、第１の実施形態の温度センサ内蔵ＲＦＩＤタグ２０を用いた荷物１０の配達処理における環境保障システムの処理手順を説明する。
【００５６】
配達員は、図５から図７のフローチャートに従って、配送センタから荷物１０を受け取り、別の配送センタまで荷物１０を配達し、最終的に受取人まで荷物１０を配達する。
【００５７】
（配送センタからの荷物１０の受け取り処理）
先ず、配達員は、配送センタから荷物１０を受け取り、荷物１０を収納する部分の温度を所定の温度（０℃以下）に維持した配達品保管庫３００に荷物１０を保管する。そして、温度センサ内蔵ＲＦＩＤタグ２０の温度センサ付ＩＣパッケージ基板２１を荷物１０に装着し、温度センサ内蔵ＲＦＩＤタグ２０のアンテナ基板３０は、配達品保管庫３００の外等の、ＲＦタグリーダ１００と通信可能な位置に設置し、温度センサ付ＩＣパッケージ基板２１とアンテナ基板３０のアンテナ１をリード線２７で接続する。
【００５８】
（ステップＳ１）
次に、配達員が、携帯端末装置２００からＩＣタグ情報要求信号を、ＲＦタグリーダ１００を介して、温度センサ内蔵ＲＦＩＤタグ２０のアンテナ１とリード線２７を介し温度センサ付ＩＣパッケージ基板２１に送信する。
【００５９】
（ステップＳ２）
ＩＣタグ情報要求信号を受信した温度センサ内蔵ＲＦＩＤタグ２０の温度センサ付ＩＣパッケージ基板２１は、温度センサ２３を用いて温度Ｄ５を測定して測定温度Ｄ５と測定時刻情報をメモリ２２に記憶する。
【００６０】
（ステップＳ３）
また、温度センサ内蔵ＲＦＩＤタグ２０は、測定温度Ｄ５を、メモリ２２が記憶する温度保障範囲と比較する。そして、温度センサ内蔵ＲＦＩＤタグ２０は、比較の結果、測定温度Ｄ５がメモリ２２が記憶する温度保障範囲から外れた場合は、保障範囲外警告データを比較結果の管理情報としてメモリ２２に記憶する。
【００６１】
（ステップＳ４）
そして、温度センサ内蔵ＲＦＩＤタグ２０は、ＩＣタグ情報として、ＩＣタグ識別コードＤ１と、測定温度Ｄ５と測定時刻情報と管理情報を、ＲＦタグリーダ１００を介して携帯端末装置２００に送信する。
【００６２】
（ステップＳ５）
配達員の携帯端末装置２００は、ＲＦタグリーダ１００を介して温度センサ内蔵ＲＦＩＤタグ２０から受信したＩＣタグ情報を記憶する。
【００６３】
携帯端末装置２００は、受信したＩＣタグ情報の管理情報に保障範囲外警告データが有った場合は、警告音を発して配達員に通知する。
【００６４】
（ステップＳ６）
次に、配達員の携帯端末装置２００は、環境温度の情報を、基準温度計３１０から受信して記憶する。ここで、配達員は、基準温度計３１０を配達品保管庫３００内に設置して温度Ｄ５を測定して携帯端末装置２００で環境温度を受信することができる。そして、携帯端末装置２００に、その環境温度を、温度センサ内蔵ＲＦＩＤタグ２０から受信した測定温度Ｄ５と比較させることで、温度センサ内蔵ＲＦＩＤタグ２０から受信した測定温度Ｄ５が正しい事を確認する。
【００６５】
（ステップＳ７）
配達員の携帯端末装置２００は、ＲＦタグリーダ１００を介して、温度センサ内蔵ＲＦＩＤタグ２０に、温度の測定時間間隔、および、温度保障範囲を指定した温度管理開始指示信号を送信する。
【００６６】
（ステップＳ８）
配達員の携帯端末装置２００からＲＦタグリーダ１００を介して温度管理開始指示信号を受信した温度センサ内蔵ＲＦＩＤタグ２０は、温度管理開始処理を行う。すなわち、温度センサ内蔵ＲＦＩＤタグ２０は、受信した温度保障範囲をメモリ２２に記憶し、定期的に温度センサ２３で温度Ｄ５を測定する処理を開始する。そして、測定温度Ｄ５と測定時刻と管理情報をメモリ２２に記憶して情報を蓄積する。
【００６７】
次に、温度センサ内蔵ＲＦＩＤタグ２０は、温度管理開始応答信号を、ＲＦタグリーダ１００を介して携帯端末装置２００に送信する。
【００６８】
（ステップＳ９）環境情報ラベル４０の印刷
配達員の携帯端末装置２００は、温度センサ内蔵ＲＦＩＤタグ２０からＲＦタグリーダ１００を介して温度管理開始応答信号を受信した場合は、ＩＣタグ識別コードＤ１と、先に温度センサ内蔵ＲＦＩＤタグ２０から受信した温度の情報と、保管庫の基準温度計３１０から受信した環境温度の情報と、温度測定時刻のデータを、必要に応じて測定場所の情報等も加えて、モバイルプリンタ４００に送信し、モバイルプリンタ４００にそれらの情報を、図３（ａ）の様な書式で環境情報ラベル４０に印刷させる。
【００６９】
ここで、環境情報ラベル４０に印刷する情報は、あらかじめ決まった情報だけでなく、現場で印刷する情報の順番を変えたり、印刷する情報を追加したり、配達員が伝えようとする情報を追加して環境情報ラベル４０に印刷することもできる。
【００７０】
また、プリンタ側の変更により、管理情報表示フォーマットの変更をすることも可能である。その場合は、環境管理用の携帯端末装置２００のプログラムの変更は必要ないので容易にできる。それらにより、配達員が管理情報を更新することができる融通性に富んだ環境保障システムが得られる効果がある。
【００７１】
（ステップＳ１０）
配達員は印刷した環境情報ラベル４０を荷物１０又は配達品保管庫３００に貼り付ける。
【００７２】
（ステップＳ１１）配達途中での温度測定処理
配達員が荷物１０を配達している途中に、温度センサ内蔵ＲＦＩＤタグ２０が、定期的に温度センサ２３で温度Ｄ５を測定し、その測定温度Ｄ５と測定時刻をメモリ２２に記憶する。
【００７３】
（ステップＳ１２）
また、温度センサ内蔵ＲＦＩＤタグ２０は、測定温度Ｄ５を、メモリ２２が記憶する温度保障範囲と比較する。そして、温度センサ内蔵ＲＦＩＤタグ２０は、比較の結果、測定温度Ｄ５がメモリ２２が記憶する温度保障範囲から外れた場合は、保障範囲外警告データを比較結果の管理情報としてメモリ２２に記憶する。
【００７４】
温度センサ内蔵ＲＦＩＤタグ２０は、保障範囲外警告データを作成した場合は、警告信号を、ＲＦタグリーダ１００を介して携帯端末装置２００に送信する。
【００７５】
（ステップＳ１２’）
配達員の携帯端末装置２００は、温度センサ内蔵ＲＦＩＤタグ２０からＲＦタグリーダ１００を介して警告信号を受信した場合は、警告音を発して配達員に通知する。
【００７６】
（ステップＳ１３）別の配送センタへの荷物１０の引渡し処理
配達員は、別の配送センタへの荷物１０を運び込んだ際に、携帯端末装置２００からＩＣタグ情報要求信号を、ＲＦタグリーダ１００を介して温度センサ内蔵ＲＦＩＤタグ２０に送信する。
【００７７】
（ステップＳ１４）
ＩＣタグ情報要求信号を受信した温度センサ内蔵ＲＦＩＤタグ２０は、温度センサ２３で最新の温度Ｄ５を測定し、その測定温度Ｄ５と測定時刻情報をメモリ２２に記憶する。
【００７８】
（ステップＳ１５）
また、温度センサ内蔵ＲＦＩＤタグ２０は、測定温度Ｄ５を、メモリ２２が記憶する温度保障範囲と比較する。そして、温度センサ内蔵ＲＦＩＤタグ２０は、比較の結果、測定温度Ｄ５がメモリ２２が記憶する温度保障範囲から外れた場合は、保障範囲外警告データを比較結果の管理情報としてメモリ２２に記憶する。
【００７９】
（ステップＳ１６）
そして、温度センサ内蔵ＲＦＩＤタグ２０は、ＩＣタグ情報として、ＩＣタグ識別コードＤ１と、荷物１０の配達途中に定期的に測定した測定温度Ｄ５と測定時刻情報と管理情報と、最新の測定温度Ｄ５等を、ＲＦタグリーダ１００を介して携帯端末装置２００に送信する。
【００８０】
（ステップＳ１７）
配達員の携帯端末装置２００は、ＲＦタグリーダ１００を介して温度センサ内蔵ＲＦＩＤタグ２０から受信したＩＣタグ情報を記憶する。
【００８１】
携帯端末装置２００は、受信したＩＣタグ情報の管理情報に保障範囲外警告データが有った場合は、警告音を発して配達員に通知する。
【００８２】
（ステップＳ１８）
次に、配達員の携帯端末装置２００は、配達品保管庫３００の基準温度計３１０から、環境温度の情報と測定時刻情報を受信して記憶する。ここで、配達員は、基準温度計３１０を配達品保管庫３００内に設置して温度Ｄ５を測定して携帯端末装置２００で環境温度を受信することができる。そして、携帯端末装置２００に、その環境温度を、温度センサ内蔵ＲＦＩＤタグ２０から受信した測定温度Ｄ５と比較させることで、温度センサ内蔵ＲＦＩＤタグ２０から受信した測定温度Ｄ５が正しい事を確認する。
【００８３】
（ステップＳ１９）
配達員の携帯端末装置２００は、温度センサ内蔵ＲＦＩＤタグ２０からＲＦタグリーダ１００を介して受信した、荷物１０の配達途中に定期的に測定した測定温度Ｄ５と測定時刻情報と管理情報と、最新の測定温度Ｄ５等と、保管庫の基準温度計３１０から受信した環境温度の情報と、必要に応じて測定場所の情報も加えて、モバイルプリンタ４００に送信し、モバイルプリンタ４００にそれらの情報を、図３（ｂ）の様な書式で環境情報ラベル４０に印刷させる。
【００８４】
（ステップＳ２０）
配達員は印刷した環境情報ラベル４０を荷物１０又は配達品保管庫３００に貼り付ける。そして、その環境情報ラベル４０を貼り付けた荷物１０、又は、配達品保管庫３００に設置した状態の荷物１０を配達先の配送センタに引き渡す。
【００８５】
（ステップＳ２１）受取人への荷物１０の引渡し処理
ステップＳ１からステップＳ１２を経て、配送センタから最終的な配達先に荷物１０を運んだ配達員は、携帯端末装置２００に、ＲＦタグリーダ１００を介して、温度センサ内蔵ＲＦＩＤタグ２０に対して、時刻情報を含めて、ＩＣタグ情報要求信号を送信させる。
【００８６】
（ステップＳ２２）
ＩＣタグ情報要求信号を受信した温度センサ内蔵ＲＦＩＤタグ２０は、温度センサ２３で最新の温度Ｄ５を測定し、その測定温度Ｄ５と測定時刻情報をメモリ２２に記憶する。
【００８７】
（ステップＳ２３）
また、温度センサ内蔵ＲＦＩＤタグ２０は、測定温度Ｄ５を、メモリ２２が記憶する温度保障範囲と比較する。そして、温度センサ内蔵ＲＦＩＤタグ２０は、比較の結果、測定温度Ｄ５がメモリ２２が記憶する温度保障範囲から外れた場合は、保障範囲外警告データを比較結果の管理情報としてメモリ２２に記憶する。
【００８８】
（ステップＳ２４）
そして、温度センサ内蔵ＲＦＩＤタグ２０は、ＩＣタグ情報として、ＩＣタグ識別コードＤ１と、荷物１０の配達途中に定期的に測定した測定温度Ｄ５と測定時刻情報と管理情報と、最新の測定温度Ｄ５等を、ＲＦタグリーダ１００を介して携帯端末装置２００に送信する。
【００８９】
（ステップＳ２５）
配達員の携帯端末装置２００は、ＲＦタグリーダ１００を介して温度センサ内蔵ＲＦＩＤタグ２０から受信したＩＣタグ情報を記憶する。
【００９０】
携帯端末装置２００は、受信したＩＣタグ情報の管理情報に保障範囲外警告データが有った場合は、警告音を発して配達員に通知する。
【００９１】
（ステップＳ２６）
次に、配達員の携帯端末装置２００は、配達品保管庫３００の基準温度計３１０から、環境温度の情報と測定時刻情報を受信して記憶する。ここで、配達員は、基準温度計３１０を配達品保管庫３００内に設置して温度Ｄ５を測定して携帯端末装置２００で環境温度を受信することができる。そして、携帯端末装置２００に、その環境温度を、温度センサ内蔵ＲＦＩＤタグ２０から受信した測定温度Ｄ５と比較させることで、温度センサ内蔵ＲＦＩＤタグ２０から受信した測定温度Ｄ５が正しい事を確認する。
【００９２】
（ステップＳ２７）
配達員の携帯端末装置２００は、ＲＦタグリーダ１００を介して、温度センサ内蔵ＲＦＩＤタグ２０に、温度管理終了指示信号を送信する。
【００９３】
（ステップＳ２８）
配達員の携帯端末装置２００からＲＦタグリーダ１００を介して温度管理終了指示信号を受信した温度センサ内蔵ＲＦＩＤタグ２０は、温度管理処理を終了させ、温度センサ２３による定期的な温度測定処理を停止する。次に、温度センサ内蔵ＲＦＩＤタグ２０は、温度管理終了応答信号を、ＲＦタグリーダ１００を介して携帯端末装置２００に送信する。
【００９４】
（ステップＳ２９）
配達員の携帯端末装置２００は、温度センサ内蔵ＲＦＩＤタグ２０からＲＦタグリーダ１００を介して温度管理終了応答信号を受信した場合は、先にＲＦタグリーダ１００を介して温度センサ内蔵ＲＦＩＤタグ２０から受信した、荷物１０の配達途中に定期的に測定した測定温度Ｄ５と測定時刻情報と管理情報と、最新の測定温度Ｄ５等と、保管庫の基準温度計３１０から受信した環境温度の情報と、必要に応じて測定場所の情報も加えて、モバイルプリンタ４００に送信し、モバイルプリンタ４００にそれらの情報を、図４の様な書式で環境情報ラベル４０に印刷させる。
【００９５】
（ステップＳ３０）
配達員は印刷した環境情報ラベル４０を荷物１０に貼り付け、温度センサ内蔵ＲＦＩＤタグ２０を回収し、荷物１０を最終的な配達先に引き渡す。
【００９６】
本実施形態によると、携帯端末装置２００がＲＦタグリーダ１００を介して温度センサ内蔵ＲＦＩＤタグ２０にアクセスするまでの間の期間に、温度センサ内蔵ＲＦＩＤタグ２０が、温度センサ２３を用いて定期的に温度Ｄ５を測定して温度情報を記憶するので、荷物１０の輸送中または保管中の温度をきめ細かく管理できる効果がある。
【００９７】
また、本実施形態によると、温度センサ内蔵ＲＦＩＤタグ２０の温度センサ２３の測定値が温度保障範囲を外れた場合に配達員に通知することで、配達員が荷物１０の温度を適切に管理できる環境保障システムが得られる効果がある。
【００９８】
また、本実施形態では、温度センサ内蔵ＲＦＩＤタグ２０を荷物１０などに装着して、その荷物１０の温度Ｄ５を測定して環境情報ラベル４０に印刷する事で、荷物１０の輸送中または保管中の環境条件を確実に明示して保障することができる環境保障システムが得られる効果がある。
【００９９】
また、配達員は、使用後に回収した温度センサ内蔵ＲＦＩＤタグ２０を再使用することができる。これによって、１回あたりの環境保障コストを安くすることができ、また、その都度温度センサ内蔵ＲＦＩＤタグ２０を廃棄しないので環境負荷を小さくすることができる。
【０１００】
また、配達員が回収した温度センサ内蔵ＲＦＩＤタグ２０が、その荷物１０の輸送中または保管中の温度を記憶しているので、その温度データを配達管理用コンピュータが読み込み分析することで、荷物１０の配達条件を改善するための基礎データを得ることができる効果がある。
【０１０１】
＜第２の実施形態＞
本発明の第２の実施形態は、温度センサ内蔵ＲＦＩＤタグ２０として、ＲＦタグリーダ１００からアンテナ１に給電された電力を、リード線２７を介して、温度センサ付ＩＣパッケージ基板２１の電源回路２６に給電して動作する温度センサ内蔵ＲＦＩＤタグ２０を用いる点が第１の実施形態と相違する。
【０１０２】
すなわち、温度センサ内蔵ＲＦＩＤタグ２０の電源回路２６は、コンデンサに電力を蓄積する回路で構成し、電力を蓄積するための電池は設けない。これにより、電源回路２６の構成が簡単になり寿命が長くなり、温度センサ内蔵ＲＦＩＤタグ２０に要する費用を低減できる効果がある。
【０１０３】
荷物１０の輸送過程において、温度センサ内蔵ＲＦＩＤタグ２０は、定期的に低消費電
力の温度センサ２３で温度Ｄ５を測定し、その測定温度Ｄ５と測定時刻をメモリ２２に記憶する。また、温度センサ内蔵ＲＦＩＤタグ２０は、測定温度Ｄ５を、携帯端末装置２００から指定された温度保障範囲と比較し、比較結果の管理情報をメモリ２２に記憶する。
【０１０４】
温度センサ内蔵ＲＦＩＤタグ２０は、ＲＦタグリーダ１００から無線で電力を供給された際に、供給された電力を使って通信部２５を動作させ、配達員の携帯端末装置２００に通知すべき管理情報である、測定温度Ｄ５が指定された温度保障範囲から外れた事を知らせる警告信号を、ＲＦタグリーダ１００に送信する。
【０１０５】
ＲＦタグリーダ１００は、温度センサ内蔵ＲＦＩＤタグ２０から警告信号を受信した場合は、その警告信号を配達員の携帯端末装置２００に送信して警告する。
【０１０６】
これにより、配達員は、ＲＦタグリーダ１００を温度センサ内蔵ＲＦＩＤタグ２０に接近させて無線で電力を供給する事で、温度センサ内蔵ＲＦＩＤタグ２０から必要な警告信号を、ＲＦタグリーダ１００を介して携帯端末装置２００で受信することができる。
【０１０７】
（配達処理）
次に、第２の実施形態の温度センサ内蔵ＲＦＩＤタグ２０を用いた荷物１０の配達処理における環境保障システムの処理手順を、第１の実施形態と同じ図５から図７のフローチャートと、図８のフローチャートを参照して説明する。
【０１０８】
配達員は、第１の実施形態と同様に、配送センタから荷物１０を受け取り、別の配送センタまで荷物１０を配達し、最終的に受取人まで荷物１０を配達する。
【０１０９】
（配送センタからの荷物１０の受け取り処理）
配達員が配送センタから荷物１０を受け取る際に行う処理は、第１の実施形態と同様に、ステップＳ１からステップＳ１０の処理で行い、環境管理ラベル４０を印刷して荷物１０に貼り付ける。
【０１１０】
（配達途中での温度測定処理）
第２の実施形態では、荷物１０の配達途中での処理を、第１の実施形態のステップＳ１１とＳ１２の替わりに、図８のステップＳ４１からステップＳ４６の処理を行う。
【０１１１】
（ステップＳ４１）配達途中での温度測定処理
配達員が荷物１０を配達している途中に、温度センサ内蔵ＲＦＩＤタグ２０が、定期的に温度センサ２３で温度Ｄ５を測定し、その測定温度Ｄ５と測定時刻をメモリ２２に記憶する。
【０１１２】
（ステップＳ４２）
また、温度センサ内蔵ＲＦＩＤタグ２０は、測定温度Ｄ５を、メモリ２２が記憶する温度保障範囲と比較する。そして、温度センサ内蔵ＲＦＩＤタグ２０は、比較の結果、測定温度Ｄ５がメモリ２２が記憶する温度保障範囲から外れた場合は、保障範囲外警告データを比較結果の管理情報としてメモリ２２に記憶する。
【０１１３】
（ステップＳ４３）
温度センサ内蔵ＲＦＩＤタグ２０は、保障範囲外警告データを作成した場合は、警告信号を作成し、通信の準備をする。
【０１１４】
（ステップＳ４４）
ＲＦタグリーダ１００が無線で電力を温度センサ内蔵ＲＦＩＤタグ２０に供給する。
【０１１５】
（ステップＳ４５）
温度センサ内蔵ＲＦＩＤタグ２０は、ＲＦタグリーダ１００から無線で電力が供給された場合に、供給された電力を使って通信部２５を動作させ、準備していた警告信号をＲＦタグリーダ１００に送信する。
【０１１６】
（ステップＳ４５’）
ＲＦタグリーダ１００は、温度センサ内蔵ＲＦＩＤタグ２０から警告信号を受信した場合は、その警告信号を配達員の携帯端末装置２００に送信して警告する。
【０１１７】
（ステップＳ４６）
配達員の携帯端末装置２００は、温度センサ内蔵ＲＦＩＤタグ２０からＲＦタグリーダ１００を介して警告信号を受信した場合は、警告音を発して配達員に警告を通知する。
【０１１８】
（別の配送センタへの荷物１０の引渡し処理）
配達員が別の配送センタへ到着した際に行う配送センタへの荷物１０の引渡し処理は、第１の実施形態と同様に、ステップＳ１３からステップＳ２０の処理で行い、環境管理ラベル４０を印刷して荷物１０に貼り付けて、荷物１０を配達先の配送センタに引き渡す。
【０１１９】
（受取人への荷物１０の引渡し処理）
配達員が最終的な受取人に荷物１０を引渡す処理は、第１の実施形態と同様に、ステップＳ２１からステップＳ３０の処理で行い、環境管理ラベル４０を印刷して荷物１０に貼り付け、温度センサ内蔵ＲＦＩＤタグ２０を回収し、荷物１０を最終的な配達先に引き渡す。
【０１２０】
第２の実施形態は、温度センサ内蔵ＲＦＩＤタグ２０は、ＲＦタグリーダ１００から無線で電力を温度センサ内蔵ＲＦＩＤタグ２０に供給された場合に、通信部２５を動作させ、準備していたデータをＲＦタグリーダ１００に送信し、ＲＦタグリーダ１００がそのデータを配達員の携帯端末装置２００に送信する様にすることで、温度センサ内蔵ＲＦＩＤタグ２０の電源回路２６に蓄電池を設けず構成を簡単にして、温度センサ内蔵ＲＦＩＤタグ２０に要する費用を低減できる効果がある。
【符号の説明】
【０１２１】
１・・・アンテナ、
１０・・・荷物
２０・・・温度センサ内蔵ＲＦＩＤタグ
２１・・・温度センサ付ＩＣパッケージ基板
２２・・・メモリ
２３・・・温度センサ
２４・・・制御部
２５・・・通信部
２６・・・電源回路
２７・・・リード線
３０・・・アンテナ基板
４０・・・環境情報ラベル
１００・・・ＲＦタグリーダ
２００・・・携帯端末装置
３００・・・配達品保管庫
３１０・・・基準温度計
４００・・・モバイルプリンタ
Ｄ１・・・ＩＣタグ識別コード
Ｄ１ｂ・・・二次元コード
Ｄ２・・・荷物番号
Ｄ３・・・担当者名
Ｄ４・・・ラベル印字時刻
Ｄ４ｂ・・・測定時刻
Ｄ５・・・測定温度
Ｄ６・・・配送指定温度
Ｄ７・・・管理状態
【図１】
2019214446.tif 000003
【図２】
2019214446.tif 000004
【図３】
2019214446.tif 000005
【図４】
2019214446.tif 000006
【図５】
2019214446.tif 000007
【図６】
2019214446.tif 000008
【図７】
2019214446.tif 000009
【図８】
2019214446.tif 000010